(57)【要約】【課題】糸付き球を用いた不正行為を確実に防止できるパチンコ機を提供する。【解決手段】機器本体２に支持された遊技盤７と、遊技盤７の遊技領域８に設けられた複数の入賞口２７と、機器本体２の裏面側に設けられた賞球払出装置１９と、不正行為が行われたことを報知可能な報知手段４５とを備え、遊技領域８を流下する遊技球が入賞口２７の開口２７ａに入ることにより、賞球払出装置１９を作動させて所定数の遊技球が払い出されるパチンコ機において、入賞口２７の開口２７ａ内に、遊技球の通過を検知して賞球払出装置１９を作動させる上段側検出センサ３９と、球戻り防止弁４１を有する下段側検出センサ４０とを上下方向に積層配置し、球戻り防止弁４１が遊技球の通過を許可して戻りを阻止すると共に、この球戻り防止弁４１によって遊技球の戻り動作を検出して報知手段４５を作動させるようにした。【選択図】図６
2013000231.tif 000002
【特許請求の範囲】
【請求項１】
機器本体に支持された遊技盤と、この遊技盤の遊技領域に設けられた複数の入賞口と、前記機器本体の裏面側に設けられた賞球払出装置と、不正行為が行われたことを報知可能な報知手段とを備え、前記遊技領域を流下する遊技球が前記入賞口に形成された開口に入ることにより、前記賞球払出装置を作動させて所定数の遊技球が払い出されるパチンコ機において、
前記入賞口の前記開口内に、遊技球の通過を検知して前記賞球払出装置を作動させる上段側検出センサと、球戻り防止弁を有する下段側検出センサとを上下方向に積層配置し、前記球戻り防止弁が遊技球の通過を許可して戻りを阻止すると共に、この球戻り防止弁によって遊技球の戻り動作を検出して前記報知手段を作動させることを特徴とするパチンコ機。
【請求項２】
請求項１の記載において、前記下段側検出センサに、前記球戻り防止弁が遊技球の戻りを阻止したときに動作される第１検出素子と、前記球戻り防止弁が遊技球の通過を許可したときに動作される第２検出素子とを設け、前記第１検出素子から出力される動作信号に基づいて前記報知手段を作動させると共に、前記第２検出素子からの動作信号を伴わずに前記上段側検出センサが遊技球の通過を連続して検出したときも前記報知手段を作動させることを特徴とするパチンコ機。
【発明の詳細な説明】
【技術分野】
【０００１】
本発明は、遊技球を用いて遊技を行うパチンコ機に関するものである。
【背景技術】
【０００２】
一般的にパチンコ機は、機器本体の前面に設けられた受皿から供給される遊技球を発射装置によって遊技盤の遊技領域に向けて打ち出し、この遊技球が遊技領域に設けられた複数の入賞口（始動入賞口や一般入賞口）のいずれかに入ると、所定数の遊技球が賞球として受皿に払い出されるようになっている。遊技盤には、発射装置から発射された遊技球を遊技領域の上部側に案内する外レールと、遊技領域の周壁の大部分を規定する内レールとが設けられており、これら外レールと内レールとで挟まれた空間部分が発射案内通路となっている。発射装置は受皿の近傍に設けられた発射ハンドルの回動操作によって駆動され、発射装置の側方には発射案内通路に向かって傾斜する発射レールが設けられている。この発射レールは受皿から供給される遊技球を保持する発射待機部を有しており、発射案内通路と発射レールとの間にはレール欠落部が形成されている。
【０００３】
そして、遊技者によって発射ハンドルが任意角度に回動操作されると、受皿から供給されて発射待機部に保持された遊技球が発射装置によって打撃されるため、この遊技球がレール欠落部を飛び越えて発射案内通路から遊技領域へと向かう。その際、発射時の勢いが不十分で遊技領域まで到達できなかった遊技球は、発射案内通路を逆走してレール欠落部に落下した後、ファール球として受皿に戻される。一方、十分に勢いのある遊技球は、発射案内通路を通過して遊技領域内に進入し、この遊技球が遊技領域を落下して任意の入賞口に入ると、前述したように、所定数の遊技球が賞球として受皿に払い出される。ここで、入賞口の内部には近接スイッチ等からなる検知センサが配置されており、通常、この検知センサは入賞口に形成された開口の内部に１つだけ配置されている。検知センサは遊技球の通過によってオン／オフの切換動作し、入賞口の開口に入った遊技球が検知センサを通過することにより、入賞口の種類（始動入賞口や一般入賞口）に応じて予め設定された数の遊技球が賞球として受皿に払い出されるようになっている。
【０００４】
従来より、このようなパチンコ機におけるゴト行為として、機器本体の隙間から遊技領域にピアノ線等を挿入し、このピアノ線を用いて恰も遊技球が入ったかのように検知センサを誤動作させることで、賞球を不正に獲得するといった不正行為が問題となっている。そこで、入賞口の開口内に２つの検知センサを上下方向に積層配置し、これら２つの検知センサによる遊技球の検知が上側から下側にかけて所定時間内で順番に行われたときだけ、遊技球が入賞口に正規に入ったものと認識する遊技球通過認識手段を有するパチンコ機が提案されている（例えば、特許文献１参照）。かかる遊技球通過認識手段を備えたパチンコ機によれば、不正行為を働こうとする者が機器本体の隙間から遊技領域にピアノ線を挿入し、このピアノ線を用いて入賞口内の検知センサを刺激しようとしても、通常は、上下２つの検知センサの片方だけを刺激することになるため、遊技球が入賞口に正規に入ったものと判断されず、遊技球が不正に払い出されることはない。また、仮にピアノ線を用いて入賞口内の２つの検知センサを刺激することができたとしても、実際に遊技球が入賞口に入ったかのように、２つの検知センサが上側から下側にかけて所定時間内で順番に検知信号を出力することは極めて困難であるため、ピアノ線を用いた不正行為を防止することができる。
【先行技術文献】
【特許文献】
【０００５】
【特許文献１】特開２００３−３４００７２号公報
【発明の概要】
【発明が解決しようとする課題】
【０００６】
ところで、遊技球を不正に搾取するゴト行為の手口は日を追うごとに巧妙になってきており、例えば、遊技球に透明な釣り糸等を接着した糸付き球を遊技領域に打ち出し、この糸付き球を外部から往復操作して入賞口の開口に出し入れすることで、恰も遊技球が入ったかのような状態を作り出して賞球を獲得する糸ゴトと呼ばれる不正行為が行われている。かかる糸ゴト行為は、糸の付いた本物の遊技球を入賞口の内部まで誘導して検知センサで検出させるというものであり、糸を巧みに操作して糸付き球を入賞口の内部で上下動することにより、正規の遊技球と似たような挙動が実現可能となるため、特許文献１に開示された従来のパチンコ機のように、単に２つの検知センサを積層配置しただけでは、このような糸ゴト行為を防止することはできなかった。
【０００７】
本発明は、このような従来技術の実情に鑑みてなされたもので、その目的は、糸付き球を用いた不正行為を確実に防止できるパチンコ機を提供することにある。
【課題を解決するための手段】
【０００８】
上記の目的を達成するために、本発明は、機器本体に支持された遊技盤と、この遊技盤の遊技領域に設けられた複数の入賞口と、前記機器本体の裏面側に設けられた賞球払出装置と、不正行為が行われたことを報知可能な報知手段とを備え、前記遊技領域を流下する遊技球が前記入賞口に形成された開口に入ることにより、前記賞球払出装置を作動させて所定数の遊技球が払い出されるパチンコ機において、前記入賞口の前記開口内に、遊技球の通過を検知して前記賞球払出装置を作動させる上段側検出センサと、球戻り防止弁を有する下段側検出センサとを上下方向に積層配置し、前記球戻り防止弁が遊技球の通過を許可して戻りを阻止すると共に、この球戻り防止弁によって遊技球の戻り動作を検出して前記報知手段を作動させるようにした。
【０００９】
このように構成されたパチンコ機では、不正行為を働こうとする者が糸の付いた遊技球（糸付き球）を遊技領域に打ち出した後、糸を外部から手動操作して遊技球を入賞口の開口内に落とし込むと、遊技球は上段側検出センサと下段側検出センサを通過して入賞口の内部まで導かれ、この間で、上段側検出センサが遊技球の通過を検知して賞球払出装置を作動させると共に、下段側検出センサの球戻り防止弁が遊技球の通過を許可するが、この糸付き球を上段側検出センサの上方まで引き上げて再び賞球払出装置を作動させようとすると、球戻り防止弁が遊技球の戻り動作（上動）を阻止すると共に、報知手段を作動させて不正行為が行われたことを外部に報知する。したがって、糸の付いた遊技球を入賞口に対して繰り返し出し入れすることはできず、糸付き球を用いて賞球を不正に獲得するという不正行為を確実に防止することができる。
【００１０】
上記の構成において、下段側検出センサは少なくとも遊技球の戻り動作を検出可能な検出素子を有していれば良いが、この下段側検出センサに、球戻り防止弁が遊技球の戻りを阻止したときに動作される第１検出素子と、球戻り防止弁が遊技球の通過を許可したときに動作される第２検出素子とを設け、第１検出素子から出力される動作信号に基づいて報知手段を作動させると共に、第２検出素子からの動作信号を伴わずに上段側検出センサが遊技球の通過を連続して検出したときも報知手段を作動させるようにすると、入賞口の開口内に入った遊技球が上段側検出センサから下段側検出センサの順に通過したときだけ、その遊技球が正規球であると判定し、それ以外のときは不正球であると判定することができる。したがって、仮に糸付き球を下段側検出センサを通過させずに上段側検出センサに対して上下動させることができたとしても、この間で払い出される賞球は不正行為によるものであると報知されるため、糸付き球を用いた不正行為を効果的に抑止することができる。
【発明の効果】
【００１１】
本発明のパチンコ機では、入賞口の開口内に上段側検出センサと下段側検出センサを積層配置してあり、糸の付いた遊技球（糸付き球）を入賞口の開口内に落とし込むと、この遊技球が上段側検出センサと下段側検出センサの順に通過して入賞口の内部まで導かれ、その間で、上段側検出センサが遊技球の通過を検知して賞球払出装置を作動させると共に、下段側検出センサの球戻り防止弁が遊技球の通過を許可するようになっている。そして、この糸付き球を上段側検出センサの上方まで引き上げて再び賞球払出装置を作動させようとすると、球戻り防止弁が遊技球の戻り動作を阻止すると共に、報知手段を作動させて不正行為が行われたことを外部に報知するため、糸の付いた遊技球を入賞口に対して繰り返し出し入れすることはできず、糸付き球を用いて賞球を不正に獲得するという不正行為を確実に防止することができる。
【図面の簡単な説明】
【００１２】
【図１】本発明の実施形態例に係るパチンコ機の外観斜視図である。
【図２】図１に示すパチンコ機のガラス扉を開けた状態の外観斜視図である。
【図３】図１に示すパチンコ機の背面図である。
【図４】図１のパチンコ機に備えられる機器本体の正面図である。
【図５】遊技盤の遊技領域に設けられた一般入賞口の内部構造を示す断面図である。
【図６】図５に示す上段側検出センサと下段側検出センサの斜視図である。
【図７】該下段側検出センサの説明図である。
【図８】図７のＡ部を拡大して示す説明図である。
【図９】図５に示す上段側検出センサと下段側検出センサの動作説明図である。
【図１０】不正行為の判定処理を実行するためのフローチャートである。
【発明を実施するための形態】
【００１３】
発明の実施の形態について図面を参照して説明すると、図１に示すように、本実施形態例に係るパチンコ機Ｐは、遊技場の島設備に設置される縦長方形状の機枠１と、機枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１４】
図２に示すように、機枠１の左側枠部には上側軸受け体５ａと下側軸受け体５ｂが固着されており、この下側軸受け体５ｂよりも下方の左下隅部には大型のスピーカ６が配設されている。一方、機器本体２の左側枠部の上下両端には第１ピン（図示せず）が設けられており、これら両第１ピンが対応する上下の軸受け体５ａ，５ｂに軸支されることにより、機器本体２は機枠１に対して開閉自在となっている。
【００１５】
機器本体２の上部内側には遊技盤７が収納されており、この遊技盤７の盤面（前面）は透明板４を透して目視可能となっている。遊技盤７はその盤面に遊技領域８を有しており、遊技領域８はガラス扉３の透明板４を透して外部から目視可能となっている。遊技領域８はガイドレール９と規制レール１０によって略円形状に区画形成されており、この遊技領域８内を後述する発射装置２３によって打ち出された遊技球が流下する。また、遊技領域８内には、センター役物装置と呼ばれる可変表示装置２４と、一対の始動入賞口２５，２６と、複数の一般入賞口２７と、通過ゲートであるスルーチャッカー２８と、大入賞口を有するアタッカー装置２９等が設けられており、これら始動入賞口２５，２６と一般入賞口２７および大入賞口の内部には遊技球の通過を検知するための検知センサが配置されている。
【００１６】
遊技領域８内に設けられた上記各部材について簡単に説明すると、可変表示装置２４の下側にはステージ３０が設けられており、一対の始動入賞口２５，２６はステージ３０の真下位置に上下２段に積層状態で配置されている。上段側の始動入賞口２５は可動片を持たない非作動式の入賞口であるが、下段側の始動入賞口２６は一対の可動片を有する作動式（電動チューリップ構造）の入賞口となっている。そして、これら始動入賞口２５，２６のいずれか一方に遊技球が入ると、それを契機として特別図柄表示の電子抽選が行われ、可変表示装置２４の表示画面上で演出用図柄の変動表示および停止表示が行われる。また、スルーチャッカー２８を遊技球が通過したことを契機として普通図柄表示の電子抽選が行われ、その抽選結果が当たりの場合に始動入賞口２６の可動片を一時的に開放して遊技球の入球を許可するようになっている。
【００１７】
アタッカー装置２９は、始動入賞口２５，２６に遊技球が入ることを契機に行われる特別図柄表示の電子抽選の結果、当たりとなって大当たり遊技状態へ移行した場合に作動される装置である。具体的には、特別図柄表示の抽選結果が当たりの場合、可変表示装置２４の表示画面上で演出用図柄の変動停止を例えば「７７７」のように特別図柄で停止させると共に、アタッカー装置２９が複数回繰り返し開放動作して内部の大入賞口を露呈させる。アタッカー装置２９は１回の開放動作について例えば３０秒経過するまで、あるいは遊技球が大入賞口に例えば１０個入るまで開放状態を維持し、かかる開放動作を例えば１５回繰り返した後に大当たりが終了する。なお、始動入賞口２５，２６に遊技球が入ると、特別図柄表示の抽選結果が行われると共に、所定個数の遊技球が賞球として遊技者に払い出されるが、一般入賞口２７に遊技球が入った場合には、電子抽選は行われず所定個数の遊技球の払い出しのみが行われる。そして、いずれの始動入賞口２５，２６や一般入賞口２７にも入らなかった遊技球は、遊技領域８の最下端部に設けられたアウト口３１から遊技盤７の裏面側に排出されるようになっている。
【００１８】
遊技盤７よりも下方の機器本体２はガラス扉３の下部によって覆い隠される設置部２ａとなっており、この設置部２ａ内の下部中央には遊技球を遊技領域８に向けて発射する発射装置２３が配設されている。この発射装置２３は遊技球を打撃するハンマ２３ａを有しており、ハンマ２３ａはロータリソレノイド等を駆動源として回転動作（揺動）される。また、機器本体２の右側枠部にはシリンダ錠１１ａを有する施錠装置１１が設置されており、図示省略されているが、この施錠装置１１は機器本体２の裏面に配置された後部施錠杆と機器本体２の前面に配置された前部施錠杆とを備えている。常態では、施錠装置１１の後部施錠杆によって機枠１に対して機器本体２が施錠されると共に、前部施錠杆によって機器本体２に対してガラス扉３が施錠されている。そして、シリンダ錠１１ａの鍵穴に図示せぬ鍵を差し込み、この鍵を一方向（例えば時計回り）へ回動すると、後部施錠杆が上動して機器本体２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１９】
ガラス扉３の左側枠部の上下両端には第２ピン（図示せず）が設けられており、これら両第２ピンを機器本体２の上下の軸孔（図示せず）に挿入することにより、ガラス扉３は機器本体２に対して開閉自在となっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置２３の発射強度を調整するための操作ハンドル１６が配設されている。
【００２０】
図３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理部１８と、遊技場の島設備から供給される遊技球を貯留可能な貯留タンク４７と、貯留タンク４７から供給された遊技球を上段受皿１３に賞球として払い出す賞球払出装置１９と、主制御処理部１７からの指令を受けて賞球払出装置１９を制御する払出制御処理部２０と、操作ハンドル１６の回動操作量に応じて発射装置２３の作動を制御する発射制御処理部２１と、賞球数や大当たり回数等の各種情報を遊技場のホールコンピュータに出力する外部端子基板２２等が設けられている。主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２１】
図４に示すように、遊技盤７の遊技領域８よりも左側には、発射装置２３から発射された遊技球を遊技領域８の上部側に案内する外レール３２と、規制レール１０の外周面に沿って延びる内レール３３とが設けられており、これら外レール３２と内レール３３とで挟まれた空間部分が発射案内通路３４となっている。なお、図４において、遊技領域８内に設けられた可変表示装置２４や始動入賞口２５，２６等は図示省略されている。外レール３２はアウト口３１から離れた左側位置から遊技盤７の左側端および上端部を経て円弧状に配置されており、外レール３２の上端側はガイドレール９に連続している。内レール３３はアウト口３１のやや左側位置から遊技盤７の上端部にかけて円弧状に配置されており、発射案内通路３４の上端部には遊技領域８から遊技球が戻るのを阻止する球戻り防止片３５が設けられている。
【００２２】
また、遊技盤７よりも下方の設置部２ａには球保持部としての発射レール３６が設けられており、この発射レール３６は発射装置２３の斜め上方に位置している。発射レール３６は発射案内通路３４に向かって上り勾配で傾斜する傾斜面を有し、この傾斜面の右端の最下部が発射待機部３６ａとなっている。発射待機部３６ａの近傍には図４の２点鎖線で示す供給口３７ａが配置されており、この供給口３７ａは上段受皿１３に連設されてガラス扉３の裏面側に突出する整流器３７の出口である（図２参照）。すなわち、上段受皿１３に貯留された遊技球は整流器３７で一列に整流された状態で供給口３７ａから発射待機部３６ａへ１個ずつ供給され、この発射待機部３６ａに保持された遊技球が発射装置２３のハンマ２３ａの打撃によって発射案内通路３４の方向へ発射されるようになっている。なお、発射案内通路３４と発射レール３６との間にレール欠落部３８が形成されており、発射時の勢いが不十分で遊技領域８まで到達できなかった遊技球は、発射案内通路３４を逆走してレール欠落部３８に落下した後、ガラス扉３の裏面側に突出する球回収部１４ａ（図２参照）を通って下段受皿１４にファール球として戻される。
【００２３】
図５に示すように、遊技盤７の遊技領域８に設けられた一般入賞口２７は遊技球の導入口である開口２７ａを有しており、この開口２７ａの内部に上段側検出センサ３９と下段側検出センサ４０が上下方向に積層配置されている。図６に示すように、上段側検出センサ３９は通過孔３９ａを有する貫通型近接スイッチと呼ばれる公知の検知センサであり、内蔵した高周波発信回路（図示せず）の検出コイルのインピーダンス変化によって遊技球の通過を非接触で検出することができる。上段側検出センサ３９は主制御処理部１７に接続されており、上段側検出センサ３９が遊技球の通過を検出すると、その検出信号（オン信号）に基づいて主制御処理部１７が払出制御処理部２０を介して賞球払出装置１９を駆動制御することにより、前述したように所定数の遊技球が賞球として払い出される。
【００２４】
下段側検出センサ４０は球戻り防止弁４１によって接点の切換動作を行うマイクロスイッチであり、球戻り防止弁４１は金属板をくの字状に屈曲した可動部材である。図７と図８に示すように、球戻り防止弁４１の屈曲部分に形成された支点部４１ａは下段側検出センサ４０に揺動可能に支持されており、支点部４１ａよりも下方部分は下段側検出センサ４０の通過孔４０ａ内に前傾姿勢で突出している。また、球戻り防止弁４１の支点部４１ａよりも後方部分は下段側検出センサ４０の規制孔４０ｂ内に位置しており、この規制孔４０ｂによって球戻り防止弁４１の揺動角度が所定範囲に規定されている。具体的には、図９（ａ）に示すように、遊技球が下段側検出センサ４０の通過孔４０ａ内を上から下に向かって通過するとき、球戻り防止弁４１は遊技球に押圧されて同図の反時計回りに揺動（回動）し、この場合、球戻り防止弁４１は規制孔４０ｂの上部領域を自由に移動することができる。一方、図９（ｂ）に示すように、遊技球が通過孔４０ａの下方から上方に向かって移動するとき、球戻り防止弁４１は遊技球に持ち上げられて同図の時計回りに揺動し、この場合、球戻り防止弁４１が規制孔４０ｂの下端部まで移動すると、それ以上は揺動できないように位置規制される。このように、下段側検出センサ４０の通過孔４０ａ内に配置された球戻り防止弁４１は、遊技球が自重で落下する方向への通過を許可するが、遊技球が自重に逆らって戻る方向への移動を阻止する機能を有している。
【００２５】
下段側検出センサ４０には検出素子である第１スイッチ４２と第２スイッチ４３が内蔵されており、これら第１および第２スイッチ４２，４３は球戻り防止弁４１の揺動方向に応じて接点の切換動作が行われる。すなわち、第１スイッチ４２は規制孔４０ｂの下端側に突出する検知受部４２ａを有しており、常態では、検知受部４２ａが球戻り防止弁４１と離反することで、第１スイッチ４２はオフ状態に維持されている。また、図９（ａ）に示すように、遊技球の通過に伴って球戻り防止弁４１が通過孔４０ａの内周面に押し付けられる方向へ揺動したときも、球戻り防止弁４１が検知受部４２ａから離れる方向へ移動するため、第１スイッチ４２はオフ状態に維持されている。ただし、図９（ｂ）に示すように、遊技球の戻り動作に伴って球戻り防止弁４１が通過孔４０ａの中心に向かって揺動した場合、球戻り防止弁４１が規制孔４０ｂの下端側へ移動して検知受部４２ａを押圧するため、第１スイッチ４２はオフからオン状態に接点の切換動作が行われる。
【００２６】
第２スイッチ４３は復帰ばね（図示せず）の弾発力を受けて前方へ付勢されたステム４３ａを有しており、常態では、ステム４３ａが通過孔４０ａの内部に突出して球戻り防止弁４１の背面に対向することで、第２スイッチ４３はオフ状態に維持されている。また、図９（ｂ）に示すように、遊技球の戻り動作に伴って球戻り防止弁４１が通過孔４０ａの中心に向かって揺動したときも、球戻り防止弁４１はステム４３ａから離れる方向へ移動するため、第２スイッチ４３はオフ状態に維持されている。ただし、図９（ａ）に示すように、遊技球の通過に伴って球戻り防止弁４１が通過孔４０ａの内周面に押し付けられる方向へ揺動した場合、ステム４３ａが球戻り防止弁４１によって押圧されるため、第２スイッチ４３はオフからオン状態に接点の切換動作が行われる。
【００２７】
第１スイッチ４２と第２スイッチ４３の出力信号は副制御処理部１８に設けられた制御判定部４４に取り込まれ、制御判定部４４が第１および第２スイッチ４２，４３の出力信号に基づいて報知手段４５を作動するようになっている。この報知手段４５は不正行為が行われたことを外部に報知するためのものであり、例えば、スピーカ６，１２を用いて警報音を発生させたり、外部のホールコンピュータに不正検知信号を送信する等、適宜の手段を採用することが可能である。詳細については後述するが、制御判定部４４は、第１スイッチ４２がオフからオン状態に切換動作されたとき、つまり、球戻り防止弁４１が遊技球の戻り動作を阻止したとき、報知手段４５を作動させることで周囲に不正行為が行われたことを報知する。また、本実施形態例では、上段側検出センサ３９の出力信号も制御判定部４４に取り込まれるようになっており、上段側検出センサ３９のオン信号と第２スイッチ４３のオン信号が連続して出力されたとき、つまり、遊技球が上下に積層配置された上段側検出センサ３９と下段側検出センサ４０の各通過孔３９ａ，４０ａを順番に通過したときだけ、制御判定部４４は、その遊技球が正規球であると判定して報知手段４５を作動させず、それ以外のときは不正球であると判定して報知手段４５を作動させる。
【００２８】
このように構成されたパチンコ機Ｐにおいて、遊技者が操作ハンドル１６を回動操作すると、上段受皿１３に貯留された遊技球が供給口３７ａから発射レール３６へ１個ずつ供給されて発射待機部３６ａに保持され、それと同期して発射装置２３が作動してハンマ２３ａを操作ハンドル１６の操作量に応じた強さで発射方向へ揺動させるため、発射待機部３６ａに保持された遊技球がハンマ２３ａの打撃によって発射案内通路３４の方向へ順次発射される。そして、遊技領域８内に進入した遊技球が始動入賞口２５，２６に入ると、特別図柄表示の抽選結果が行われると共に、賞球払出装置１９の作動により所定個数の遊技球が上段受皿１３に払い出される。また、遊技領域８内を流下する遊技球が任意の一般入賞口２７に入ると、賞球払出装置１９の作動により所定個数の遊技球の払い出しのみが行われ、いずれの始動入賞口２５，２６や一般入賞口２７にも入らなかった遊技球はアウト口３１から遊技盤７の裏面側に排出される。
【００２９】
ここで、不正行為を働こうとする者が遊技球Ｂに糸４６を接着・固定し、かかる糸付き球Ｂを上段受皿１３から発射待機部３６ａに供給して遊技領域８に打ち出した後、外部から糸４６を手動操作して先端の遊技球Ｂを一般入賞口２７の開口２７ａ内に落とし込むと、図９（ａ）に示すように、この遊技球Ｂは自重で上段側検出センサ３９と下段側検出センサ４０の各通過孔３９ａ，４０ａを順番に通過して一般入賞口２７の内部へと導かれ、この間で、上段側検出センサ３９が遊技球Ｂの通過を検知して賞球払出装置１９を作動させると共に、下段側検出センサ４０の通過孔４０ａ内に配置された球戻り防止弁４１が遊技球Ｂの通過を許容して第２スイッチ４３をオン動作させる。しかる後、糸４６を引き上げて遊技球Ｂを上段側検出センサ３９の上方位置まで戻そうとすると、図９（ｂ）に示すように、球戻り防止弁４１が遊技球Ｂの戻り動作を阻止すると共に第１スイッチ４２をオン動作させるため、糸付き球Ｂを上下動させて賞球払出装置１９を繰り返し作動させることはできなくなる。また、この間に制御判定部４４が上段側検出センサ３９や第１および第２スイッチ４２，４３の出力信号に基づいて正規球か不正球かを判定し、不正球であると判定した場合は、報知手段４５を作動させて不正行為が行われたことを周囲に報知する。
【００３０】
図１０はかかる制御判定部４４の判定処理を実行するためのフローチャートであり、同図に示すように、制御判定部４４は、ステップＳ−１で上段側検出センサ３９からオン信号を受信すると、次なるステップＳ−２で第２スイッチ４３がオン動作したか否かを判定する。ステップＳ−２において、第２スイッチ４３からオン信号を受信すると（ＹＥＳの場合）、ステップＳ−３で第１スイッチ４２がオン動作したか否かを判定し、第１スイッチ４２からのオン信号を受信しないとき（ＮＯの場合）はステップＳ−４へ移行し、正規球が使用されたものと判定して特別な処理を行わない。すなわち、一般入賞口２７に入った遊技球が上段側検出センサ３９から下段側検出センサ４０を通過して遊技盤７の裏面側へ排出された場合、上段側検出センサ３９と第２スイッチ４３の順にオン信号が出力されると共に、第１スイッチ４２からオン信号が出力されないため、制御判定部４４は、その遊技球が正規球であると判定して報知手段４５を作動させない。
【００３１】
これに対し、ステップＳ−３において、第１スイッチ４２からオン信号を受信（ＹＥＳの場合）すると、ステップＳ−５で不正球が使用されたものと判定し、ステップＳ−６で報知手段４５に動作信号を出力してこれを作動させる。すなわち、一般入賞口２７に入った遊技球が上段側検出センサ３９から下段側検出センサ４０を通過した後、この遊技球の自重に逆らう上方向への移動が球戻り防止弁４１によって阻止された場合、上段側検出センサ３９と第２スイッチ４３および第１スイッチ４２の順にオン信号が出力されるため、制御判定部４４は、その遊技球が正規球でない不正球であると判定して報知手段４５を作動させ、それによって不正行為が行われたことを周囲に報知する。
【００３２】
また、ステップＳ−２において第２スイッチ４３からのオン信号を受信しないとき（ＮＯの場合）は、ステップＳ−７で上段側検出センサ３９からのオン信号を受信するとステップＳ−５へ移行し、この場合も、ステップＳ−５で不正球が使用されたものと判定した後、ステップＳ−６で報知手段４５に動作信号を出力してこれを作動させる。すなわち、糸４６の付いた遊技球Ｂを使用して賞球払出装置１９を不正に作動させようとする場合、通常、糸付き球Ｂは開口２７ａ内を自由落下して上段側検出センサ３９と下段側検出センサ４０の各通過孔３９ａ，４０ａを通過するため、下段側検出センサ４０の通過孔４０ａ内に配置された球戻り防止弁４１によって糸付き球Ｂの戻り動作は阻止されるが、糸４６を巧みに操作することで遊技球Ｂが下段側検出センサ４０の手前位置で上下動される可能性がある。その場合、賞球払出装置１９が繰り返し作動されて賞球の払い出しは行われるものの、第２スイッチ４３からのオン信号を伴うことなく上段側検出センサ３９から連続してオン信号が出力されるため、制御判定部４４は、この間で払い出される賞球は不正球を使用したものであると判定し、報知手段４５を作動させて不正行為が行われたことを周囲に報知する。
【００３３】
以上説明したように、本実施形態例に係るパチンコ機Ｐは、不正行為を働こうとする者が糸４６の付いた遊技球（糸付き球）Ｂを遊技領域８に打ち出した後、糸４６を外部から手動操作して遊技球Ｂを一般入賞口２７の開口２７ａ内に落とし込むと、遊技球Ｂは上段側検出センサ３９と下段側検出センサ４０の各通過孔３９ａ，４０ａを通過して開口２７ａの内部まで自然落下し、この間で、上段側検出センサ３９が遊技球Ｂの通過を検知して賞球払出装置１９を作動させると共に、下段側検出センサ４０の通過孔４０ａ内に配置された球戻り防止弁４１が遊技球Ｂの通過を許可するが、この糸付き球Ｂを上段側検出センサ３９の上方まで引き上げて再び賞球払出装置１９を作動させようとすると、球戻り防止弁４１が遊技球Ｂの戻り動作を阻止すると共に、報知手段４５を作動させて不正行為が行われたことを外部に報知するようにしている。したがって、糸４６の付いた遊技球Ｂを一般入賞口２７に対して繰り返し出し入れすることはできず、糸付き球Ｂを用いて賞球を不正に獲得するという不正行為を確実に防止することができる。しかも、主制御処理部１７によって制御される上段側検出センサ３９として誤検出の少ない近接スイッチを用いると共に、副制御処理部１８の制御判定部４４によって制御される下段側検出センサ４０として球戻り防止弁４１を有するマイクロスイッチを用いているため、万一、チャタリング等によって下段側検出センサ４０の第１および第２スイッチ４２，４３が誤動作したとしても、賞球払出装置１９による遊技球の払い出しは正常に行われて遊技に支障を来す虞はなくなる。
【００３４】
また、本実施形態例では、下段側検出センサ４０に、球戻り防止弁４１が遊技球の戻りを阻止したときに動作される第１スイッチ（第１検出素子）４２と、球戻り防止弁４１が遊技球の通過を許可したときに動作される第２スイッチ（第２検出素子）４３とを設け、第１スイッチ４２からオン信号が出力されたときに報知手段４５を作動させるだけでなく、第２スイッチ４３からのオン信号を伴わずに上段側検出センサ３９から連続してオン信号が出力されたときも報知手段４５を作動させるため、一般入賞口２７の開口２７ａ内に入った遊技球が上段側検出センサ３９から下段側検出センサ４０の順に通過したときだけ、その遊技球が正規球であると判定し、それ以外のときは不正球であると判定することができる。したがって、仮に糸付き球Ｂを下段側検出センサ４０を通過させずに上段側検出センサ３９に対して上下動させることができたとしても、この間で払い出される賞球は不正行為によるものであると報知されるため、糸付き球Ｂを用いた不正行為を効果的に抑止することができる。
【００３５】
なお、上記実施形態例では、下段側検出センサ４０に遊技球の戻り動作を検出可能な第１スイッチ４２と遊技球の通過を検出可能な第２スイッチ４３とを設けてあるが、第２スイッチ４３を省略して第１スイッチ４２のオン信号のみで報知手段４５を作動させるようにしても良い。この場合、糸付き球Ｂを上段側検出センサ３９の通過孔３９ａ内で上下動させて賞球を獲得するという不正行為は防止できないが、通常、糸付き球Ｂは開口２７ａ内を自由落下して上段側検出センサ３９と下段側検出センサ４０の各通過孔３９ａ，４０ａを通過するため、ほとんどの場合において糸付き球Ｂを用いての不正行為を防止することができる。
【００３６】
また、上記実施形態例では、一般入賞口２７の開口２７ａ内に上段側検出センサ３９と下段側検出センサ４０を積層配置した場合について説明したが、このような上段側検出センサ３９と下段側検出センサ４０を上段側の始動入賞口２５の内部に積層配置しても良く、要は、糸付き球を入れやすい位置に設けられた入賞口であれば本発明を適用可能である。
【符号の説明】
【００３７】
２  機器本体
７  遊技盤
８  遊技領域
１３  上段受皿
１６  操作ハンドル
１７  主制御処理部
１８  副制御処理部
１９  賞球払出装置
２０  払出制御処理部
２１  発射制御処理部
２３  発射装置
２３ａ  ハンマ
２５，２６  始動入賞口
２７  一般入賞口
２７ａ  開口
３９  上段側検出センサ
３９ａ  通過孔
４０  下段側検出センサ
４０ａ  通過孔
４０ｂ  規制孔
４１  球戻り防止弁
４１ａ  支点部
４２  第１スイッチ（第１検出素子）
４２ａ  検知受部
４３  第２スイッチ（第２検出素子）
４３ａ  ステム
４４  制御判定部
４５  報知手段
４６  糸
Ｐ  パチンコ機
【図１】
2013000231.tif 000003
【図５】
2013000231.tif 000004
【図６】
2013000231.tif 000005
【図７】
2013000231.tif 000006
【図８】
2013000231.tif 000007
【図９】
2013000231.tif 000008
【図１０】
2013000231.tif 000009
【図２】
2013000231.tif 000010
【図３】
2013000231.tif 000011
【図４】
2013000231.tif 000012